(57)【要約】【課題】入力映像が３次元映像を表示するための映像であるか否かをより適切に判定して、入力映像を表示する映像表示装置を提供する。【解決手段】映像表示装置は、入力映像を取得する入力映像取得部１１と、類似度を算出する類似度算出部１２と、入力映像が、３次元映像として表示するための第１映像であるか、２次元映像として表示するための第２映像であるか、または、第１映像および第２映像のいずれであるかが不明な第３映像であるかを判定する第１判定部１３と、第１判定部１３で得られた複数の判定結果に依存させて、入力映像が第１映像および第２映像のいずれであるかを判定する第２判定部１４と、入力映像の表示を切り替える表示部１５とを備える。【選択図】図１
2012156639.tif 000002
【特許請求の範囲】
【請求項１】
入力映像を３次元映像または２次元映像として表示する映像表示装置であって、
前記入力映像を取得する入力映像取得部と、
前記入力映像を複数の領域に分割し、前記複数の領域から得られる複数の映像の類似度合いを示す類似度を算出する類似度算出部と、
前記入力映像が、前記３次元映像として表示するための第１映像であるか、前記２次元映像として表示するための第２映像であるか、または、前記第１映像および前記第２映像のいずれであるかが不明な第３映像であるかを所定の時間間隔毎に判定する第１判定部と、
前記第１判定部で得られた複数の判定結果に依存させて、前記入力映像が前記第１映像および前記第２映像のいずれであるかを判定する第２判定部と、
前記第２判定部で得られた判定結果に依存させて、前記入力映像の表示を切り替える表示部とを備え、
前記第１判定部は、前記類似度算出部で算出された前記類似度が、予め定められた第１類似度閾値以上である場合、前記入力映像が前記第１映像であると判定し、
前記第１判定部は、前記類似度算出部で算出された前記類似度が、前記第１類似度閾値よりも小さい予め定められた第２類似度閾値以下である場合、前記入力映像が前記第２映像であると判定し、
前記第１判定部は、前記類似度算出部で算出された前記類似度が、前記第１類似度閾値よりも小さく、前記第２類似度閾値よりも大きい場合、前記入力映像が前記第３映像であると判定する
映像表示装置。
【請求項２】
前記第２判定部は、前記入力映像が前記第３映像であると前記第１判定部で判定された場合、前記第２判定部で判定された前回の判定結果と同じになるように、前記入力映像が前記第１映像および前記第２映像のいずれであるかを判定する
請求項１に記載の映像表示装置。
【請求項３】
前記第２判定部は、前記入力映像が前記第１映像であると前記第１判定部で判定された場合、前記入力映像が前記第１映像であると判定し、
前記第２判定部は、前記入力映像が前記第２映像であると前記第１判定部で判定された場合、前記入力映像が前記第２映像であると判定する
請求項１または２に記載の映像表示装置。
【請求項４】
前記映像表示装置は、さらに、前記入力映像が前記第１映像であると前記第１判定部で判定された場合、前記第１映像への適合度合いを示すカウンタ値を増加させ、前記入力映像が前記第２映像であると前記第１判定部で判定された場合、前記カウンタ値を減少させ、前記入力映像が前記第３映像であると前記第１判定部で判定された場合、前記カウンタ値を維持するカウンタ部を備え、
前記第２判定部は、前記カウンタ値が、予め定められた第１カウンタ閾値以上である場合、前記入力映像が前記第１映像であると判定し、
前記第２判定部は、前記カウンタ値が、前記第１カウンタ閾値よりも小さい予め定められた第２カウンタ閾値以下である場合、前記入力映像が前記第２映像であると判定し、
前記第２判定部は、前記カウンタ値が、前記第１カウンタ閾値よりも小さく、前記第２カウンタ閾値よりも大きい場合、前記第２判定部で判定された前回の判定結果と同じになるように、前記入力映像が前記第１映像および前記第２映像のいずれであるかを判定する
請求項１または２に記載の映像表示装置。
【請求項５】
前記カウンタ部は、前記カウンタ値が前記第１カウンタ閾値と同じ値であって、かつ、前記入力映像が前記第１映像であると前記第１判定部で判定された場合、前記カウンタ値を維持し、
前記カウンタ部は、前記カウンタ値が前記第２カウンタ閾値と同じ値であって、かつ、前記入力映像が前記第２映像であると前記第１判定部で判定された場合、前記カウンタ値を維持する
請求項４に記載の映像表示装置。
【請求項６】
前記カウンタ部は、前記カウンタ値が、前記第１カウンタ閾値よりも大きい予め定められた上限値と同じ値であって、かつ、前記入力映像が前記第１映像であると前記第１判定部で判定された場合、前記カウンタ値を維持し、
前記カウンタ部は、前記カウンタ値が、前記第２カウンタ閾値よりも小さい予め定められた下限値と同じ値であって、かつ、前記入力映像が前記第２映像であると前記第１判定部で判定された場合、前記カウンタ値を維持する
請求項４に記載の映像表示装置。
【請求項７】
前記類似度算出部は、前記入力映像を左側と右側との２つの領域に分割し、前記２つの領域から得られる２つの映像の類似度合いを示す前記類似度を算出し、
前記第１判定部は、前記類似度算出部で算出された前記類似度が、前記第１類似度閾値以上である場合、前記入力映像が、前記３次元映像を構成する前記２つの映像を含む前記第１映像であると判定する
請求項１〜６のいずれか１項に記載の映像表示装置。
【請求項８】
前記類似度算出部は、前記入力映像を上側と下側との２つの領域に分割し、前記２つの領域から得られる２つの映像の類似度合いを示す前記類似度を算出し、
前記第１判定部は、前記類似度算出部で算出された前記類似度が、前記第１類似度閾値以上である場合、前記入力映像が、前記３次元映像を構成する前記２つの映像を含む前記第１映像であると判定する
請求項１〜６のいずれか１項に記載の映像表示装置。
【請求項９】
前記第１判定部は、前記入力映像に含まれる複数の画素値の偏りが所定の基準以上である場合、前記入力映像が前記第３映像であると判定し、
前記第１判定部は、前記偏りが前記所定の基準よりも小さい場合、かつ、前記類似度が前記第１類似度閾値以上である場合、前記入力映像が前記第１映像であると判定し、
前記第１判定部は、前記偏りが前記所定の基準よりも小さい場合、かつ、前記類似度が前記第２類似度閾値以下である場合、前記入力映像が前記第２映像であると判定する
請求項１〜８のいずれか１項に記載の映像表示装置。
【請求項１０】
前記類似度算出部は、前記複数の領域の各領域から前記各領域に含まれる複数の画素値の分布を示すヒストグラムを取得することにより、複数のヒストグラムを取得し、前記分布の一致度合いを算出するためのヒストグラム・インタセクションを用いて、前記複数のヒストグラムから前記類似度を算出し、
前記第１判定部は、前記複数のヒストグラムから得られる前記偏りが前記所定の基準以上である場合、前記入力映像が前記第３映像であると判定する
請求項９に記載の映像表示装置。
【請求項１１】
前記表示部は、前記入力映像が前記第１映像であると前記第２判定部で判定された場合、前記入力映像を前記３次元映像として表示し、前記入力映像が前記第２映像であると前記第２判定部で判定された場合、前記入力映像を前記２次元映像として表示することにより、前記入力映像の表示を切り替える
請求項１〜１０のいずれか１項に記載の映像表示装置。
【請求項１２】
前記表示部は、前記第２判定部で得られた判定結果に変更があった場合、前記入力映像を前記３次元映像として表示するか、または、前記入力映像を前記２次元映像として表示するかの選択を促すメッセージを表示することにより、前記入力映像の表示を切り替える
請求項１〜１０のいずれか１項に記載の映像表示装置。
【請求項１３】
前記入力映像取得部は、前記入力映像を放送または記録媒体を介して取得する
請求項１〜１２のいずれか１項に記載の映像表示装置。
【請求項１４】
入力映像を３次元映像または２次元映像として表示する映像表示方法であって、
前記入力映像を取得する入力映像取得ステップと、
前記入力映像を複数の領域に分割し、前記複数の領域から得られる複数の映像の類似度合いを示す類似度を算出する類似度算出ステップと、
前記入力映像が、前記３次元映像として表示するための第１映像であるか、前記２次元映像として表示するための第２映像であるか、または、前記第１映像および前記第２映像のいずれであるかが不明な第３映像であるかを所定の時間間隔毎に判定する第１判定ステップと、
前記第１判定ステップで得られた複数の判定結果に依存させて、前記入力映像が前記第１映像および前記第２映像のいずれであるかを判定する第２判定ステップと、
前記第２判定ステップで得られた判定結果に依存させて、前記入力映像の表示を切り替える表示ステップとを含み、
前記第１判定ステップでは、前記類似度算出ステップで算出された前記類似度が、予め定められた第１類似度閾値以上である場合、前記入力映像が前記第１映像であると判定し、
前記第１判定ステップでは、前記類似度算出ステップで算出された前記類似度が、前記第１類似度閾値よりも小さい予め定められた第２類似度閾値以下である場合、前記入力映像が前記第２映像であると判定し、
前記第１判定ステップでは、前記類似度算出ステップで算出された前記類似度が、前記第１類似度閾値よりも小さく、前記第２類似度閾値よりも大きい場合、前記入力映像が前記第３映像であると判定する
映像表示方法。
【発明の詳細な説明】
【技術分野】
【０００１】
本発明は、入力映像を３次元映像または２次元映像として表示する映像表示装置に関する。
【背景技術】
【０００２】
近年、３次元映像（以下、立体映像とも呼ぶ）を表示する映像表示装置が普及し始めている。このような映像表示装置は、視聴者の左眼に左眼用の映像（以下、左眼映像とも呼ぶ）を提示し、視聴者の右眼に右眼用の映像（以下、右眼映像とも呼ぶ）を提示する。左眼映像と右眼映像との間には、視差、すなわち、画像のずれがある。視聴者は、左眼映像を左眼で、右眼映像を右眼で見ることにより、視差を有する両映像を立体映像として認識する。
【０００３】
左眼に左眼映像を提示し、右眼に右眼映像を提示する方法には、様々な方法がある。最も普及している方法のひとつは、偏光フィルムを有するメガネを用いる方法である。このようなメガネを介することにより、視聴者の左眼には左眼映像のみが提示され、視聴者の右眼には右眼映像のみが提示される。この場合、映像表示装置は、左眼映像と右眼映像とを重畳して表示する。映像表示装置は、左眼映像と右眼映像とを１画素ライン毎に交互に表示してもよいし、左眼映像と右眼映像とを時間的に交互に表示してもよい。
【０００４】
その他の方法として、シャッタメガネを用いる方法がある。この方法では、映像表示装置は、左眼映像と右眼映像とを交互に表示する。そして、シャッタメガネは、左眼映像および右眼映像の表示時間と同期をとりながら、シャッタを開閉する。これにより、視聴者の両目にそれぞれ対応する映像が提示される。
【０００５】
その他にも、ヘッドマウントディスプレイを用いる方法も、立体映像を提示する方法のひとつである。また、最近では、メガネを用いずに、立体映像を提示する方法も普及し始めている。
【０００６】
一方で、このような立体映像を提示するためのデータが、ＤＶＤ（Ｄｉｇｉｔａｌ  Ｖｅｒｓａｔｉｌｅ  Ｄｉｓｃ）、あるいは、ＢＤ（Ｂｌｕ−ｒａｙ  Ｄｉｓｃ（登録商標））に格納される場合がある。また、立体映像を提示するためのデータが、放送によって配信される場合がある。そして、既存の枠組みに整合させるため、ＳＢＳ（Ｓｉｄｅ  Ｂｙ  Ｓｉｄｅ）と呼ばれる形式で、映像が格納され、あるいは、映像が配信される場合がある。
【０００７】
ＳＢＳでは、左眼映像と右眼映像とでひとつの映像（以下、ＳＢＳ映像とも呼ぶ）が構成される。左眼映像は、ＳＢＳ映像の左側に配置され、右眼映像は、ＳＢＳ映像の右側に配置される。このように左眼映像と右眼映像とが配置されることにより、既存の映像記録方法、および、既存の映像配信方法と同様の取り扱いが可能になる。
【０００８】
立体映像を表示する映像表示装置は、ＳＢＳ映像を左側と右側とに分離することにより、左眼映像と右眼映像とを取得する。そして、映像表示装置は、映像表示装置が有する方法で、視聴者の左眼に左眼映像を提示し、視聴者の右眼に右眼映像を提示する。これにより、既存の枠組みを利用しつつ、立体映像の提示が実現される。
【０００９】
さらに、映像表示装置は、２次元で表示するための通常の映像（以下、２次元映像または２Ｄ映像とも呼ぶ）をそのまま表示する。つまり、格納された映像、または、配信された映像が、２Ｄ映像である場合、映像表示装置は、２Ｄ映像を左側と右側とに分離することなく、そのまま、２Ｄ映像を２次元の映像として表示する。これにより、映像表示装置は、２Ｄ映像を２次元の映像として表示し、ＳＢＳ映像を立体映像として表示することができる。
【００１０】
さらに、映像表示装置は、入力される映像に応じて、このような２次元表示と３次元表示とを自動的に切り替えることが望ましい。例えば、映像表示装置は、左側に配置される映像（以下、左映像と呼ぶ）と、右側に配置される映像（以下、右映像と呼ぶ）との類似度に応じて、２次元表示と３次元表示とを自動的に切り替える。ＳＢＳ映像における左映像と右映像とは、視差のみに基づく違いを有している。その違いは、２Ｄ映像における左映像と右映像との違いに比べて小さい。
【００１１】
そのため、入力映像の左映像と右映像との類似度が高い場合、入力映像は、ＳＢＳ映像であると想定される。この場合、映像表示装置は、入力映像を立体映像として表示する。このように、類似度に応じて自動的にＳＢＳ映像と２Ｄ映像とを判定する画像処理装置として、特許文献１に記載された画像処理装置がある。
【先行技術文献】
【特許文献】
【００１２】
【特許文献１】特開２０１０−１６９７７７号公報
【発明の概要】
【発明が解決しようとする課題】
【００１３】
しかしながら、表示対象の映像がＳＢＳ映像であるか、または、２Ｄ映像であるかが、適切に判定されない場合がある。例えば、ＳＢＳ映像であっても、左映像と右映像とが類似していない場合がある。また、２Ｄ映像であっても、左映像と右映像とが、偶然に類似している場合がある。以下、具体的に説明する。
【００１４】
図２２は、撮像シーンを示す概念図である。図２２の例では、左カメラ９１と右カメラ９２とが、被写体９３を撮像している。さらに、被写体９３の後方に、太陽のような強い光源９４が存在する。
【００１５】
図２３は、図２２の撮像シーンで被写体９３を撮像することにより生成されたＳＢＳ映像を示す概念図である。左カメラ９１によって左映像９５が生成される。右カメラ９２によって右映像９６が生成される。ＳＢＳ映像９７は、左映像９５および右映像９６で構成される。左映像９５は、強い光源９４が映りこんでいるため、全体として明るい映像である。一方、右映像９６は、強い光源９４が映りこんでおらず、全体として暗い映像である。
【００１６】
図２４は、入力映像がＳＢＳ映像であるか２Ｄ映像であるかの判定を示す概念図である。通常、ＳＢＳ映像では、左映像と右映像とが類似している。したがって、入力映像の左映像と右映像とが類似している場合、入力映像はＳＢＳ映像と判定される。一方、両者が類似していない場合、入力映像は２Ｄ映像と判定される。両者が類似しているか否かは、画素値の差に基づく類似度と、所定の閾値との比較によって、判定される。
【００１７】
図２４の例では、時刻ｔ３まで、ＳＢＳ映像が入力されている。時刻ｔ３の後、２Ｄ映像が入力されている。また、時刻ｔ１から時刻ｔ２までの間、図２３に示されたＳＢＳ映像９７のように、強い光源９４が左映像９５に映りこんでいる。
【００１８】
入力映像がＳＢＳ映像である場合、通常、左映像と右映像とが類似している。この場合、左映像と右映像との類似度は閾値以上である。よって、入力映像は、ＳＢＳ映像と判定される。逆に、入力映像が２Ｄ映像である場合、左映像と右映像とが類似していない。この場合、左映像と右映像との類似度は閾値未満である。よって、入力映像は、２Ｄ映像と判定される。
【００１９】
しかし、図２３に示されたＳＢＳ映像９７は、ＳＢＳ映像にもかかわらず、左映像と右映像とが類似していない。この場合、左映像と右映像との類似度は閾値未満である。よって、入力映像は、２Ｄ映像と誤って判定される。
【００２０】
上記のように、ＳＢＳ映像が誤って２Ｄ映像と判定された場合、本来、ひとつの３Ｄ映像として表示されるべき映像が、そのまま、表示される。具体的には、左眼映像が左側に表示され、右眼映像が右側に表示されることにより、両映像がそれぞれ別々に表示される。つまり、入力映像が適切に表示されない。
【００２１】
また、上記では、ＳＢＳ映像が誤って２Ｄ映像と判定される例が示されたが、左映像と右映像とが、偶然に類似している場合には、２Ｄ映像が誤ってＳＢＳ映像と判定される。この場合も、本来ひとつの３Ｄ映像にならない左映像と右映像とが合成される。そのため、入力映像が適切に表示されない。
【００２２】
そこで、本発明は、入力映像が３次元映像を表示するための映像であるか否かをより適切に判定して、入力映像を表示する映像表示装置を提供することを目的とする。
【課題を解決するための手段】
【００２３】
上記課題を解決するため、本発明に係る映像表示装置は、入力映像を３次元映像または２次元映像として表示する映像表示装置であって、前記入力映像を取得する入力映像取得部と、前記入力映像を複数の領域に分割し、前記複数の領域から得られる複数の映像の類似度合いを示す類似度を算出する類似度算出部と、前記入力映像が、前記３次元映像として表示するための第１映像であるか、前記２次元映像として表示するための第２映像であるか、または、前記第１映像および前記第２映像のいずれであるかが不明な第３映像であるかを所定の時間間隔毎に判定する第１判定部と、前記第１判定部で得られた複数の判定結果に依存させて、前記入力映像が前記第１映像および前記第２映像のいずれであるかを判定する第２判定部と、前記第２判定部で得られた判定結果に依存させて、前記入力映像の表示を切り替える表示部とを備え、前記第１判定部は、前記類似度算出部で算出された前記類似度が、予め定められた第１類似度閾値以上である場合、前記入力映像が前記第１映像であると判定し、前記第１判定部は、前記類似度算出部で算出された前記類似度が、前記第１類似度閾値よりも小さい予め定められた第２類似度閾値以下である場合、前記入力映像が前記第２映像であると判定し、前記第１判定部は、前記類似度算出部で算出された前記類似度が、前記第１類似度閾値よりも小さく、前記第２類似度閾値よりも大きい場合、前記入力映像が前記第３映像であると判定する。
【００２４】
これにより、入力映像が３次元映像を表示するための映像であるか、２次元映像を表示するための映像であるか、または、不明であるかが、所定の時間間隔毎に、類似度に基づいて、事前に判定される。そして、所定の時間間隔毎の判定によって得られる複数の判定結果により、入力映像が３次元用の映像であるか、または、２次元用の映像であるかが、最終的に判定される。したがって、映像表示装置は、入力映像の特性をより適切に判定して、入力映像を表示することができる。
【００２５】
また、前記第２判定部は、前記入力映像が前記第３映像であると前記第１判定部で判定された場合、前記第２判定部で判定された前回の判定結果と同じになるように、前記入力映像が前記第１映像および前記第２映像のいずれであるかを判定してもよい。
【００２６】
これにより、入力映像が３次元用および２次元用のいずれか不明である場合、前回の判定結果が維持される。よって、より適切に、入力映像が３次元映像を表示するための映像であるか否かが判定される。
【００２７】
また、前記第２判定部は、前記入力映像が前記第１映像であると前記第１判定部で判定された場合、前記入力映像が前記第１映像であると判定し、前記第２判定部は、前記入力映像が前記第２映像であると前記第１判定部で判定された場合、前記入力映像が前記第２映像であると判定してもよい。
【００２８】
これにより、事前の判定処理において入力映像が３次元用および２次元用のいずれか不明でない場合、事前の判定結果が最終の判定結果としてそのまま利用される。したがって、簡潔に、最終の判定結果が得られる。
【００２９】
また、前記映像表示装置は、さらに、前記入力映像が前記第１映像であると前記第１判定部で判定された場合、前記第１映像への適合度合いを示すカウンタ値を増加させ、前記入力映像が前記第２映像であると前記第１判定部で判定された場合、前記カウンタ値を減少させ、前記入力映像が前記第３映像であると前記第１判定部で判定された場合、前記カウンタ値を維持するカウンタ部を備え、前記第２判定部は、前記カウンタ値が、予め定められた第１カウンタ閾値以上である場合、前記入力映像が前記第１映像であると判定し、前記第２判定部は、前記カウンタ値が、前記第１カウンタ閾値よりも小さい予め定められた第２カウンタ閾値以下である場合、前記入力映像が前記第２映像であると判定し、前記第２判定部は、前記カウンタ値が、前記第１カウンタ閾値よりも小さく、前記第２カウンタ閾値よりも大きい場合、前記第２判定部で判定された前回の判定結果と同じになるように、前記入力映像が前記第１映像および前記第２映像のいずれであるかを判定してもよい。
【００３０】
これにより、過去の傾向に基づいて、より適切に、入力映像が３次元映像を表示するための映像であるか否かが判定される。また、入力映像が３次元用および２次元用のいずれか不明な映像である場合、カウンタ値が維持される。したがって、より適切な判定処理が実現される。
【００３１】
また、前記カウンタ部は、前記カウンタ値が前記第１カウンタ閾値と同じ値であって、かつ、前記入力映像が前記第１映像であると前記第１判定部で判定された場合、前記カウンタ値を維持し、前記カウンタ部は、前記カウンタ値が前記第２カウンタ閾値と同じ値であって、かつ、前記入力映像が前記第２映像であると前記第１判定部で判定された場合、前記カウンタ値を維持してもよい。
【００３２】
これにより、カウンタ値の範囲が限定される。また、表示を切り替えるタイミングが明確になる。したがって、より簡潔な構造で、判定処理が実現される。
【００３３】
また、前記カウンタ部は、前記カウンタ値が、前記第１カウンタ閾値よりも大きい予め定められた上限値と同じ値であって、かつ、前記入力映像が前記第１映像であると前記第１判定部で判定された場合、前記カウンタ値を維持し、前記カウンタ部は、前記カウンタ値が、前記第２カウンタ閾値よりも小さい予め定められた下限値と同じ値であって、かつ、前記入力映像が前記第２映像であると前記第１判定部で判定された場合、前記カウンタ値を維持してもよい。
【００３４】
これにより、表示を切り替えるタイミングがより柔軟に設定される。したがって、より適切な判定処理が実現される。
【００３５】
また、前記類似度算出部は、前記入力映像を左側と右側との２つの領域に分割し、前記２つの領域から得られる２つの映像の類似度合いを示す前記類似度を算出し、前記第１判定部は、前記類似度算出部で算出された前記類似度が、前記第１類似度閾値以上である場合、前記入力映像が、前記３次元映像を構成する前記２つの映像を含む前記第１映像であると判定してもよい。
【００３６】
これにより、映像表示装置は、左眼映像と右眼映像とが左右に配置されているＳＢＳ映像を認識することができる。
【００３７】
また、前記類似度算出部は、前記入力映像を上側と下側との２つの領域に分割し、前記２つの領域から得られる２つの映像の類似度合いを示す前記類似度を算出し、前記第１判定部は、前記類似度算出部で算出された前記類似度が、前記第１類似度閾値以上である場合、前記入力映像が、前記３次元映像を構成する前記２つの映像を含む前記第１映像であると判定してもよい。
【００３８】
これにより、映像表示装置は、左眼映像と右眼映像とが上下に配置されているＴＡＢ映像を認識することができる。
【００３９】
また、前記第１判定部は、前記入力映像に含まれる複数の画素値の偏りが所定の基準以上である場合、前記入力映像が前記第３映像であると判定し、前記第１判定部は、前記偏りが前記所定の基準よりも小さい場合、かつ、前記類似度が前記第１類似度閾値以上である場合、前記入力映像が前記第１映像であると判定し、前記第１判定部は、前記偏りが前記所定の基準よりも小さい場合、かつ、前記類似度が前記第２類似度閾値以下である場合、前記入力映像が前記第２映像であると判定してもよい。
【００４０】
これにより、類似度による判定の信頼性が低い場合、入力映像が３次元用および２次元用のいずれか不明な映像であると判定される。したがって、より適切な判定処理が実現される。
【００４１】
また、前記類似度算出部は、前記複数の領域の各領域から前記各領域に含まれる複数の画素値の分布を示すヒストグラムを取得することにより、複数のヒストグラムを取得し、前記分布の一致度合いを算出するためのヒストグラム・インタセクションを用いて、前記複数のヒストグラムから前記類似度を算出し、前記第１判定部は、前記複数のヒストグラムから得られる前記偏りが前記所定の基準以上である場合、前記入力映像が前記第３映像であると判定してもよい。
【００４２】
これにより、類似度がヒストグラムに基づいて算出される。そして、ヒストグラムは、偏りの検出にも用いられる。したがって、効率的に処理が実行される。
【００４３】
また、前記表示部は、前記入力映像が前記第１映像であると前記第２判定部で判定された場合、前記入力映像を前記３次元映像として表示し、前記入力映像が前記第２映像であると前記第２判定部で判定された場合、前記入力映像を前記２次元映像として表示することにより、前記入力映像の表示を切り替えてもよい。
【００４４】
これにより、２次元映像として表示するための映像は、２次元映像として表示され、３次元映像として表示するための映像は、３次元映像として表示される。したがって、より適切な表示処理が実現される。
【００４５】
また、前記表示部は、前記第２判定部で得られた判定結果に変更があった場合、前記入力映像を前記３次元映像として表示するか、または、前記入力映像を前記２次元映像として表示するかの選択を促すメッセージを表示することにより、前記入力映像の表示を切り替えてもよい。
【００４６】
これにより、映像表示装置は、適切なタイミングで、２次元映像として入力映像を表示するか、または、３次元映像として入力映像を表示するかの選択を促すことができる。
【００４７】
また、前記入力映像取得部は、前記入力映像を放送または記録媒体を介して取得してもよい。
【００４８】
これにより、映像表示装置は、放送または記録媒体から得られる入力映像が３次元映像を表示するための映像であるか否かを適切に判定することができる。
【００４９】
また、本発明に係る映像表示方法は、入力映像を３次元映像または２次元映像として表示する映像表示方法であって、前記入力映像を取得する入力映像取得ステップと、前記入力映像を複数の領域に分割し、前記複数の領域から得られる複数の映像の類似度合いを示す類似度を算出する類似度算出ステップと、前記入力映像が、前記３次元映像として表示するための第１映像であるか、前記２次元映像として表示するための第２映像であるか、または、前記第１映像および前記第２映像のいずれであるかが不明な第３映像であるかを所定の時間間隔毎に判定する第１判定ステップと、前記第１判定ステップで得られた複数の判定結果に依存させて、前記入力映像が前記第１映像および前記第２映像のいずれであるかを判定する第２判定ステップと、前記第２判定ステップで得られた判定結果に依存させて、前記入力映像の表示を切り替える表示ステップとを含み、前記第１判定ステップでは、前記類似度算出ステップで算出された前記類似度が、予め定められた第１類似度閾値以上である場合、前記入力映像が前記第１映像であると判定し、前記第１判定ステップでは、前記類似度算出ステップで算出された前記類似度が、前記第１類似度閾値よりも小さい予め定められた第２類似度閾値以下である場合、前記入力映像が前記第２映像であると判定し、前記第１判定ステップでは、前記類似度算出ステップで算出された前記類似度が、前記第１類似度閾値よりも小さく、前記第２類似度閾値よりも大きい場合、前記入力映像が前記第３映像であると判定する映像表示方法であってもよい。
【００５０】
これにより、前記映像表示装置が、映像表示方法として実現される。
【発明の効果】
【００５１】
本発明により、入力映像が３次元映像を表示するための映像であるか否かが、より適切に判定される。したがって、入力映像が適切に表示される。
【図面の簡単な説明】
【００５２】
【図１】図１は、実施の形態１に係る映像表示装置の構成図である。
【図２】図２は、実施の形態１に係る入力映像の分割処理の第１例を示す図である。
【図３】図３は、実施の形態１に係る入力映像の分割処理の第２例を示す図である。
【図４】図４は、実施の形態１に係る輝度ヒストグラムの第１例を示す図である。
【図５】図５は、実施の形態１に係る輝度ヒストグラムの第２例を示す図である。
【図６】図６は、実施の形態１に係る判定結果の例を示す図である。
【図７】図７は、実施の形態１に係る映像表示装置の処理を示すフローチャートである。
【図８】図８は、実施の形態１に係る映像表示装置の特徴的な処理を示すフローチャートである。
【図９】図９は、実施の形態１に係る第１判定結果と第２判定結果との関係を示す図である。
【図１０】図１０は、実施の形態１に係る３次元映像表示の第１例を示す図である。
【図１１】図１１は、実施の形態１に係る３次元映像表示の第２例を示す図である。
【図１２】図１２は、実施の形態１に係る輝度ヒストグラムの第３例を示す図である。
【図１３】図１３は、実施の形態２に係る映像表示装置の構成図である。
【図１４】図１４は、実施の形態２に係る判定結果の第１例を示す図である。
【図１５】図１５は、実施の形態２に係る判定結果の第２例を示す図である。
【図１６】図１６は、実施の形態２に係る映像表示装置の処理を示すフローチャートである。
【図１７】図１７は、実施の形態２の変形例に係る判定結果の例を示す図である。
【図１８】図１８は、実施の形態２の変形例に係る映像表示装置の処理を示すフローチャートである。
【図１９】図１９は、実施の形態３に係る映像表示装置の外観図である。
【図２０】図２０は、実施の形態３に係る映像表示装置の利用形態を示す図である。
【図２１】図２１は、実施の形態３に係る画面表示の例を示す図である。
【図２２】図２２は、撮像シーンを示す概念図である。
【図２３】図２３は、ＳＢＳ映像を示す概念図である。
【図２４】図２４は、従来技術に係る判定結果の例を示す図である。
【発明を実施するための形態】
【００５３】
（実施の形態１）
図１は、実施の形態１に係る映像表示装置の構成図である。図１に示された映像表示装置１０は、映像表示装置１０に入力される映像である入力映像を３次元映像または２次元映像として表示する。また、映像表示装置１０は、入力映像取得部１１、類似度算出部１２、第１判定部１３、第２判定部１４および表示部１５を備える。
【００５４】
入力映像取得部１１は、入力映像を取得する。入力映像取得部１１は、典型的には、外部から信号を受信するインタフェース部であって、例えば、放送または記録媒体から入力映像を取得する。
【００５５】
類似度算出部１２は、入力映像を複数の領域に分割し、複数の領域から得られる複数の映像の類似度合いを示す類似度を所定の時間間隔毎に算出する。典型的には、類似度算出部１２は、入力映像を左側と右側との２つの領域に分割することにより、左映像と右映像とを取得する。そして、類似度算出部１２は、左映像と右映像との類似度を算出する。
【００５６】
第１判定部１３は、類似度に基づいて、入力映像が、３次元映像として表示するためのＳＢＳ映像であるか、２次元映像として表示するための２Ｄ映像であるか、または、それらのいずれであるかが不明な映像であるかを所定の時間間隔毎に判定する。
【００５７】
より具体的には、第１判定部１３は、類似度が、予め定められた第１類似度閾値（以下、第１閾値とも呼ぶ）以上である場合、入力映像がＳＢＳ映像であると判定する。また、第１判定部１３は、類似度が、第１類似度閾値よりも小さい予め定められた第２類似度閾値（以下、第２閾値とも呼ぶ）以下である場合、入力映像が２Ｄ映像であると判定する。また、第１判定部１３は、類似度が、第１類似度閾値よりも小さく、第２類似度閾値よりも大きい場合、入力映像がＳＢＳ映像および２Ｄ映像のいずれか不明であると判定する。
【００５８】
そして、第１判定部１３は、入力映像が、ＳＢＳ映像か、２Ｄ映像か、または、不明かを所定の時間間隔毎に判定することによって、複数の判定結果を取得する。
【００５９】
第２判定部１４は、第１判定部１３で得られた複数の判定結果に依存させて、入力映像がＳＢＳ映像および２Ｄ映像のいずれであるかを判定する。すなわち、第１判定部１３による事前の判定に基づいて、第２判定部１４は、入力映像の特性を最終的に判定する。
【００６０】
例えば、第２判定部１４は、入力映像がＳＢＳ映像であると第１判定部１３で判定された場合、入力映像がＳＢＳ映像であると判定する。また、第２判定部１４は、入力映像が２Ｄ映像であると第１判定部１３で判定された場合、入力映像が２Ｄ映像であると判定する。また、第２判定部１４は、入力映像がＳＢＳ映像および２Ｄ映像のいずれか不明であると第１判定部１３で判定された場合、第２判定部１４で判定された前回の判定結果と同じになるように、入力映像がＳＢＳ映像および２Ｄ映像のいずれであるかを判定する。すなわち、この場合、前回の判定結果が維持される。
【００６１】
表示部１５は、入力映像を表示するインタフェース部である。表示部１５は、典型的には、入力映像を表示するための画面を有するが、入力映像を外部の画面に投影してもよい。表示部１５は、第２判定部１４で得られた判定結果に依存させて、入力映像の表示を切り替える。例えば、表示部１５は、入力映像がＳＢＳ映像であると第２判定部１４で判定された場合、入力映像を３次元映像として表示する。一方、表示部１５は、入力映像が２Ｄ映像であると第２判定部１４で判定された場合、入力映像を２次元映像として表示する。
【００６２】
図２は、実施の形態１に係る入力映像の分割処理の第１例を示す図である。図２では、入力映像２０が左映像２１と右映像２２とに分割されている。入力映像２０がＳＢＳ映像である場合、左映像２１が左眼映像であり、右映像２２が右眼映像である。この場合、左映像２１と右映像２２との間には、左眼と右眼とに基づく視差による違いのみしかない。したがって、この場合、両映像は類似する。一方、入力映像２０が２Ｄ映像である場合、通常、左映像２１と右映像２２とは、類似しない。
【００６３】
したがって、類似度算出部１２は、入力映像２０を左映像２１と右映像２２とに分割し、左映像２１と右映像２２との類似度を算出することにより、入力映像２０がＳＢＳ映像である可能性の高さを算出することができる。実施の形態１では、入力映像２０が左右に分割され、入力映像２０がＳＢＳ映像であるか否かが判定される。しかし、図３に示すように、入力映像２０が上下に分割され、ＳＢＳ映像の形式とは異なる形式が判定されてもよい。
【００６４】
図３は、実施の形態１に係る入力映像の分割処理の第２例を示す図である。図３では、入力映像２０が、上側に配置されている上映像２３と下側に配置されている下映像２４とに分割されている。
【００６５】
３次元映像を既存の枠組みに整合させるための方法として、ＴＡＢ（Ｔｏｐ  Ａｎｄ  Ｂｏｔｔｏｍ）と呼ばれる形式で、映像が格納され、あるいは、映像が配信される場合がある。ＴＡＢでは、左眼映像および右眼映像でひとつの映像（以下、ＴＡＢ映像とも呼ぶ）が構成される。典型的には、左眼映像は、ＴＡＢ映像の上側に配置され、右眼映像は、ＴＡＢ映像の下側に配置される。ＴＡＢ映像も、ＳＢＳ映像と同様に、既存の映像記録方法、および、既存の映像配信方法によって取り扱われる。
【００６６】
このようなＴＡＢ映像を検出するため、類似度算出部１２は、図３に示すように、入力映像２０を上側と下側との２つの領域に分割することにより、上映像２３と下映像２４とを取得する。そして、類似度算出部１２は、上映像２３と下映像２４との類似度を算出する。
【００６７】
入力映像２０がＴＡＢ映像である場合、上映像２３が左眼映像であり、下映像２４が右眼映像である。この場合、上映像２３と下映像２４との間には、左眼および右眼の視差による違いのみしかない。したがって、この場合、両映像は類似する。一方、入力映像２０が２Ｄ映像である場合、通常、上映像２３と下映像２４とは、類似しない。
【００６８】
したがって、類似度算出部１２は、入力映像２０を上映像２３と下映像２４とに分割し、上映像２３と下映像２４との類似度を算出することにより、入力映像２０がＴＡＢ映像である可能性の高さを算出することができる。
【００６９】
図４は、実施の形態１に係る輝度ヒストグラムの第１例を示す図である。輝度ヒストグラムは、輝度の分布を示すグラフであって、左映像と右映像との類似度を判定するために用いられる尺度のひとつである。
【００７０】
図４の輝度ヒストグラムにおいて、横軸は輝度レベルを示し、縦軸は頻度を示している。ここでは、輝度値が、輝度レベル１〜輝度レベル４に分割されている。輝度レベル１は、輝度値が０から６３までの範囲である。輝度レベル２は、輝度値が６４から１２７までの範囲である。輝度レベル３は、輝度値が１２８から１９１までの範囲である。輝度レベル４は、輝度値が１９２から２５５までの範囲である。
【００７１】
また、図４の輝度ヒストグラムには、左画像と右画像の輝度値の分布が示されている。左画像は、左映像の一時点の画像である。右画像は、右映像の一時点の画像である。左画像と右画像とは、それぞれ、複数の画素値で構成される。そして、複数の画素値は、それぞれ、輝度値を有する。図４の輝度ヒストグラムは、その輝度値の分布を示している。
【００７２】
具体的には、左画像に含まれる各画素の輝度値に応じて、輝度レベルが画素毎に決定される。そして、左画像の各画素が、その画素に対応する輝度レベルに振り分けられる。そして、輝度レベル毎に振り分けられた画素数が、頻度としてカウントされる。これにより、左画像の輝度の分布を示す輝度ヒストグラムが得られる。また、同様の方法で、右画像の輝度の分布を示す輝度ヒストグラムが得られる。
【００７３】
実施の形態１に係る類似度算出部１２は、左画像の輝度ヒストグラムと右画像の輝度ヒストグラムとを比較することにより、類似度を算出する。具体的には、類似度算出部１２は、各輝度レベルにおいて、左画像の頻度、および、右画像の頻度のうち、小さい頻度を選択する。そして、類似度算出部１２は、輝度レベル毎に選択された頻度を加算する。これにより、左画像と右画像との類似度、すなわち、左映像と右映像との類似度が得られる。次に示す式１は、類似度を算出する式である。
【００７４】
【数１】
2012156639.tif 000003
【００７５】
ここで、ｉは、輝度レベルを示す。ｎは、輝度レベルの最大値を示す。ｈｉｓｔＡ［ｉ］は、左画像の輝度レベル毎の頻度を示す。ｈｉｓｔＢ［ｉ］は、右画像の輝度レベル毎の頻度を示す。ｍｉｎは、最小値を取得する関数を示す。Ｄは、類似度を示す。なお、このようにして得られる類似度Ｄは、ヒストグラム・インタセクション（Ｈｉｓｔｏｇｒａｍ  Ｉｎｔｅｒｓｅｃｔｉｏｎ）とも呼ばれる。
【００７６】
例えば、左画像と右画像とが類似している場合、輝度の分布も類似していると想定される。したがって、輝度レベル毎の頻度も類似しているため、最小値が選択されても、カウントされない画素数は、比較的少ない。一方、左画像と右画像とが類似していない場合、輝度レベル毎に得られる頻度も、左画像と右画像とで大きく異なる。したがって、最小値が選択された場合、カウントされない画素数が多くなる。
【００７７】
図５は、実施の形態１に係る輝度ヒストグラムの第２例を示す図である。図５では、左画像と右画像とが類似していない場合の例が示されている。この場合、輝度レベル毎の頻度が、左画像と右画像とで大きく異なる。そのため、最小値が選択された場合、カウントされない画素数が多くなる。したがって、類似度Ｄは、低い値になる。
【００７８】
類似度算出部１２は、上述の式により、左映像と右映像との類似度を所定の時間間隔毎に算出する。第１判定部１３は、類似度算出部１２によって算出された類似度に基づいて、入力映像がＳＢＳ映像であるか、２Ｄ映像であるか、または、不明であるかを所定の時間間隔毎に判定する。
【００７９】
所定の時間間隔とは、一定の時間間隔であってもよいし、一定ではない時間間隔であってもよい。また、入力映像を構成する複数の入力画像のそれぞれについて、類似度算出部１２が類似度を算出し、第１判定部１３がその特性を判定してもよい。すなわち、所定の時間間隔は、１フレーム毎のように、表示順における所定の時間間隔であってもよい。
【００８０】
なお、上述に示された類似度を算出する方法は、一例であって、別の方法が類似度の算出に用いられてもよい。例えば、画素値を構成する色差が、類似度の算出に用いられてもよい。また、ＲＧＢ形式の画素値が、類似度の算出に用いられてもよい。また、類似度算出部１２は、左画像の複数の画素値と、右画像の複数の画素値とのＳＡＤ（Ｓｕｍ  ｏｆ  Ａｂｓｏｌｕｔｅ  Ｄｉｆｆｅｒｅｎｃｅ）値を求めることにより、類似度を算出してもよい。
【００８１】
また、上述の方法では、左画像全体の輝度ヒストグラムと、右画像全体の輝度ヒストグラムとが、比較されている。しかし、類似度算出部１２は、左画像と右画像とをそれぞれ、さらに複数の小領域に分割して、２つの対応する小領域毎に、２つの輝度ヒストグラムを比較してもよい。すなわち、類似度算出部１２は、左画像における相対的な位置と、右画像における相対的な位置とが同じである２つの小領域から、２つの輝度ヒストグラムを取得し、それらを比較してもよい。これにより、２つの画像の類似度が、より適切に算出される。
【００８２】
図６は、実施の形態１に係る判定結果の例を示す図である。図６には、時刻ｔ３まで、ＳＢＳ映像が入力され、その後、２Ｄ映像が入力される場合の例が示されている。また、時刻ｔ１から時刻ｔ２までの間、強い光が左映像のみに映りこんでいる状態が想定されている。また、時刻ｔ５から時刻ｔ６までの間、左映像と右映像とが偶然に類似している状態が想定されている。このような状態において、第１判定部１３および第２判定部１４は、以下のように、入力映像の特性を判定する。
【００８３】
まず、時刻ｔ１まで、類似度は、第１閾値以上である。したがって、時刻ｔ１まで、第１判定部１３は、入力映像がＳＢＳ映像であると判定する。この場合、第２判定部１４は、入力映像がＳＢＳ映像であると最終的に判定する。
【００８４】
次に、時刻ｔ１から時刻ｔ２まで、類似度は、第１閾値未満であって、第２閾値よりも大きい。したがって、この間、第１判定部１３は、入力映像がＳＢＳ映像および２Ｄ映像のいずれか不明であると判定する。この場合、第２判定部１４は、第２判定部１４で判定された前回の判定結果と同じになるように、入力映像の特性を判定する。すなわち、第２判定部１４は、入力映像がＳＢＳ映像であると最終的に判定する。
【００８５】
次に、時刻ｔ２から時刻ｔ３まで、類似度は、第１閾値以上である。したがって、この間、第１判定部１３は、入力映像がＳＢＳ映像であると判定する。この場合、第２判定部１４も、入力映像がＳＢＳ映像であると最終的に判定する。
【００８６】
次に、時刻ｔ３から時刻ｔ４まで、類似度は、第１閾値未満であって、第２閾値よりも大きい。したがって、この間、第１判定部１３は、入力映像がＳＢＳ映像および２Ｄ映像のいずれか不明であると判定する。この場合、第２判定部１４は、第２判定部１４で判定された前回の判定結果と同じになるように、入力映像の特性を判定する。すなわち、第２判定部１４は、入力映像がＳＢＳ映像であると最終的に判定する。
【００８７】
次に、時刻ｔ４から時刻ｔ５まで、類似度は、第２閾値以下である。したがって、この間、第１判定部１３は、入力映像が２Ｄ映像であると判定する。この場合、第２判定部１４も、入力映像が２Ｄ映像であると最終的に判定する。したがって、第２判定部１４は、時刻ｔ４において入力映像がＳＢＳ映像から２Ｄ映像へ切り替えられたと判定する。
【００８８】
次に、時刻ｔ５から時刻ｔ６まで、類似度は、第１閾値未満であって、第２閾値よりも大きい。したがって、この間、第１判定部１３は、入力映像がＳＢＳ映像および２Ｄ映像のいずれか不明であると判定する。この場合、第２判定部１４は、第２判定部１４で判定された前回の判定結果と同じになるように、入力映像の特性を判定する。すなわち、第２判定部１４は、入力映像が２Ｄ映像であると最終的に判定する。
【００８９】
次に、時刻ｔ６の後、類似度は、第２閾値以下である。したがって、第１判定部１３は、入力映像が２Ｄ映像であると判定する。この場合、第２判定部１４も、入力映像が２Ｄ映像であると最終的に判定する。
【００９０】
上述の判定処理により、入力映像がＳＢＳ映像であって、比較的類似度が低い場合であっても、映像表示装置１０は、入力映像がＳＢＳ映像であると判定できる。また、入力映像が２Ｄ映像であって、比較的類似度が高い場合であっても、映像表示装置１０は、入力映像が２Ｄ映像であると判定できる。
【００９１】
特に、時刻ｔ１から時刻ｔ２までの間において、入力映像がＳＢＳ映像であって、強い光源が左眼映像に映りこんでいる場合でも、映像表示装置１０は、入力映像がＳＢＳ映像であると適切に判定できる。また、時刻ｔ５から時刻ｔ６までの間において、入力映像が２Ｄ映像であって、左映像と右映像とが比較的類似している場合でも、映像表示装置１０は、入力映像が２Ｄ映像であると適切に判定できる。
【００９２】
なお、２段階の閾値を設けることにより、時刻ｔ３から時刻ｔ４までの間、入力映像が、２Ｄ映像であっても、ＳＢＳ映像と判定される。しかし、通常、ＳＢＳ映像と２Ｄ映像との切り替えが発生した時、類似度は瞬時に大きく変動する。そのため、実際には、時刻ｔ３から時刻ｔ４までの間は長くない。したがって、この間による影響は、ほとんど発生しない。
【００９３】
図７は、図１に示された映像表示装置１０の処理を示すフローチャートである。図１に示された映像表示装置１０は、図７に示された処理を繰り返して実行することにより、入力映像の特性を判定し、表示を切り替える。
【００９４】
まず、入力映像取得部１１は、入力映像を取得する（Ｓ１０１）。入力映像取得部１１は、放送を介して、入力映像を取得してもよいし、記録媒体を介して、入力映像を取得してもよい。次に、類似度算出部１２は、入力映像を左映像と右映像とに分割する。そして、類似度算出部１２は、左映像と右映像との類似度を算出する（Ｓ１０２）。
【００９５】
次に、第１判定部１３は、類似度が第１閾値以上であるか否かを判定することにより、入力映像がＳＢＳ映像であるか否かを判定する（Ｓ１０３）。次に、類似度が第２閾値以下であるか否かを判定することにより、入力映像が２Ｄ映像であるか否かを判定する（Ｓ１０４）。
【００９６】
第１判定部１３は、類似度が、第１閾値以上であるか、第２閾値以下であるか、または、第１閾値よりも小さく第２閾値よりも大きいかを判定することにより、実質的に、第１判定部１３は、入力映像が、ＳＢＳ映像か、２Ｄ映像か、または、不明かを判定する。
【００９７】
第２判定部１４は、類似度が第１閾値以上である場合（Ｓ１０３でＹｅｓ）、入力映像がＳＢＳ映像であると判定する（Ｓ１０６）。また、第２判定部１４は、類似度が第２閾値以下である場合（Ｓ１０４でＹｅｓ）、入力映像が２Ｄ映像であると判定する（Ｓ１０８）。
【００９８】
また、第２判定部１４は、類似度が第１閾値よりも小さく第２閾値よりも大きい場合（Ｓ１０４でＮｏ）、前回、第２判定部１４で入力映像がＳＢＳ映像と判定されていたか否かを判定する（Ｓ１０５）。
【００９９】
そして、前回、第２判定部１４で入力映像がＳＢＳ映像と判定されていた場合（Ｓ１０５でＹｅｓ）、第２判定部１４は、入力映像がＳＢＳ映像であると判定する（Ｓ１０６）。一方、前回、第２判定部１４で入力映像がＳＢＳ映像と判定されていなかった場合（Ｓ１０５でＮｏ）、第２判定部１４は、入力映像が２Ｄ映像であると判定する（Ｓ１０８）。
【０１００】
第２判定部１４で入力映像がＳＢＳ映像と判定された場合（Ｓ１０６）、表示部１５は入力映像を３次元映像として表示する（Ｓ１０７）。一方、第２判定部１４で入力映像が２Ｄ映像と判定された場合（Ｓ１０８）、表示部１５は入力映像を２次元映像として表示する（Ｓ１０９）。
【０１０１】
これにより、表示部１５は、入力映像に応じて、表示を切り替える。また、映像表示装置１０は、実質的に２段階の判定処理を行うことにより、より適切に、入力映像の特性を判定することができる。
【０１０２】
図８は、図１に示された映像表示装置１０の特徴的な処理を示すフローチャートである。
【０１０３】
まず、第１判定部１３は、所定の時間間隔毎に入力映像がＳＢＳ映像であるか２Ｄ映像であるか不明であるかを判定する（Ｓ２０１）。典型的には、第１判定部１３は、類似度に基づいて、入力映像が上述の３つのうちのいずれであるかを判定する。第１判定部１３は、入力映像に付与された信号から、入力映像がＳＢＳ映像であるか２Ｄ映像であるかを判定してもよい。そして、第１判定部１３は、そのような信号が得られなかった場合、入力映像がＳＢＳ映像および２Ｄ映像のいずれであるか不明な映像と判定してもよい。
【０１０４】
次に、第２判定部１４は、第１判定部１３によって得られた複数の判定結果に依存させて、入力映像がＳＢＳ映像であるか２Ｄ映像であるかを判定する（Ｓ２０２）。
【０１０５】
例えば、図７のフローチャートで示されたように、第２判定部１４は、前回、第２判定部１４で入力映像がＳＢＳ映像と判定されていたか否かに基づいて、入力映像がＳＢＳ映像であるか２Ｄ映像であるかを判定する。前回、第２判定部１４で入力映像がＳＢＳ映像と判定されていたか否かは、前回、第１判定部１３で入力映像がＳＢＳ映像と判定されていたか否かに基づいている。このように、第２判定部１４は、実質的に、第１判定部１３によって得られた複数の判定結果に基づいて、入力映像の特性を判定する。
【０１０６】
次に、表示部１５は、第２判定部１４によって得られた判定結果に基づいて、入力映像の表示を切り替える（Ｓ２０３）。例えば、表示部１５が入力映像を２次元映像として表示している時に、入力映像がＳＢＳ映像であると第２判定部１４で判定される場合がある。このような場合、表示部１５は、入力映像を３次元映像として表示することにより、入力映像の表示を切り替える。
【０１０７】
なお、このような場合、表示部１５は、入力映像を３次元映像として表示するか、または、入力映像を２次元映像として表示するかの選択を促すメッセージを表示することにより、入力映像の表示を切り替えてもよい。
【０１０８】
図９は、図７のフローチャートに基づいて得られる第１判定結果と第２判定結果との関係を示す図である。第１判定結果は、第１判定部１３によって得られた事前の判定結果である。第２判定結果は、第２判定部１４によって得られた最終の判定結果である。図９には、パターンＡからパターンＦまでの複数のパターンが示されている。
【０１０９】
例えば、パターンＡでは、最新（今回）の第１判定結果は、ＳＢＳ映像である。したがって、第２判定結果は、ＳＢＳ映像になる。パターンＢでは、最新の第１判定結果は、２Ｄ映像である。したがって、第２判定結果は、２Ｄ映像になる。
【０１１０】
パターンＣおよびパターンＤでは、最新の第１判定結果は、不明である。したがって、前回の第１判定結果に基づいて、第２判定結果が得られる。
【０１１１】
さらに、パターンＥおよびパターンＦでは、最新の第１判定結果、および、前回の第１判定結果が、不明である。したがって、前々回の第１判定結果に基づいて、第２判定結果が得られる。
【０１１２】
上述のように、第２判定結果は、所定の時間間隔毎の判定によって得られた複数の第１判定結果に基づいて、決定される。すなわち、第２判定部１４は、第１判定部１３によって得られた複数の第１判定結果に依存させて、入力映像がＳＢＳ映像であるか、または、２Ｄ映像であるかを判定する。
【０１１３】
図１０は、実施の形態１に係る３次元映像表示の第１例を示す図である。図１０に示された例では、第２判定部１４で入力映像がＳＢＳ映像であると判定された場合、表示部１５は、左映像２１と右映像２２とを時間的に交互に表示する。これにより、画面全体に左映像２１と右映像２２とが表示される。そして、シャッタメガネ等を介して、左映像２１は視聴者の左眼に提示され、右映像２２は視聴者の右眼に提示される。これにより、視聴者は、入力映像を３次元映像として認識できる。
【０１１４】
図１１は、実施の形態１に係る３次元映像表示の第２例を示す図である。図１１に示された例では、第２判定部１４で入力映像がＳＢＳ映像であると判定された場合、表示部１５は、左映像２１と右映像２２とを画素ライン毎に交互に表示する。すなわち、表示部１５は、左映像２１と右映像２２とを空間的に交互に表示する。そして、偏光メガネ等を介して、左映像２１は視聴者の左眼に提示され、右映像２２は視聴者の右眼に提示される。これにより、視聴者は、入力映像を３次元映像として認識できる。
【０１１５】
図１０および図１１は、３次元映像表示の一例を示しており、３次元映像表示の方法は、図１０および図１１の例に限られない。表示部１５は、様々な方法で、３次元映像表示を実現することができる。
【０１１６】
なお、映像表示装置１０は、ＳＢＳ映像を３次元映像として表示するため、ＳＢＳ映像を左映像２１および右映像２２に分割し、左映像２１および右映像２２を水平方向に伸張し、再合成する。ＳＢＳ映像を３次元映像として表示するためのこのような映像処理は、表示部１５が実行してもよいし、別個の独立した映像処理部（図示せず）が実行してもよい。
【０１１７】
映像表示装置１０は、入力映像を２次元映像として表示する場合、このような映像処理を実行せず、入力映像をそのまま表示する。
【０１１８】
図１２は、実施の形態１に係る輝度ヒストグラムの第３例を示す図である。左映像と右映像との類似度に基づいて、入力映像がＳＢＳ映像であるか、または、２Ｄ映像であるかを判定することが困難な場合がある。
【０１１９】
例えば、入力映像を構成する入力画像の複数の画素値に偏りがある場合、入力映像がＳＢＳ映像であるか、または、２Ｄ映像であるかを判定することが困難である。偏りがある場合として、入力映像が単調な映像または平坦な映像である場合がある。また、極端な例として、入力映像が真っ黒な映像である場合がある。このような場合、入力映像に基づいて、入力映像がＳＢＳ映像であるか、または、２Ｄ映像であるかを判定することは、困難である。
【０１２０】
図１２は、そのような場合における輝度ヒストグラムの例を示している。図１２に示された例では、輝度レベル１の範囲に属する画素が集中している。すなわち、入力映像に含まれる画素値に偏りがある。このような場合、入力映像がＳＢＳ映像であるか、または、２Ｄ映像であるかを判定することは、困難である。したがって、複数の輝度レベルのいずれかにおける頻度が所定の閾値以上である場合、第１判定部１３は、入力映像がＳＢＳ映像および２Ｄ映像のいずれか不明な映像であると判定する。
【０１２１】
なお、上述された判定の基準は、一例であって、判定の基準は、上述の例に限られない。第１判定部１３は、入力映像に含まれる複数の画素値の偏りが所定の基準以上である場合、入力映像がＳＢＳ映像および２Ｄ映像のいずれか不明な映像であると判定してもよい。そして、この場合、第１判定部１３は、類似度にかかわらず、入力映像が不明な映像であると判定する。したがって、この場合、類似度が算出されなくてもよい。
【０１２２】
そして、第１判定部１３は、偏りが所定の基準よりも小さい場合にのみ、類似度に基づいて、入力映像が、ＳＢＳ映像であるか、２Ｄ映像であるか、または、いずれか不明な映像であるかを判定してもよい。
【０１２３】
例えば、第１判定部１３は、偏りが所定の基準よりも小さい場合、かつ、類似度が第１閾値以上である場合、入力映像がＳＢＳ映像であると判定する。また、第１判定部１３は、偏りが所定の基準よりも小さい場合、かつ、類似度が第２閾値以下である場合、入力映像が２Ｄ映像であると判定する。そして、第１判定部１３は、偏りが所定の基準以上である場合、または、類似度が第１閾値よりも大きく第２閾値よりも小さい場合、入力映像がＳＢＳ映像および２Ｄ映像のいずれか不明な映像であると判定する。
【０１２４】
入力映像がＳＢＳ映像および２Ｄ映像のいずれか不明な映像である場合、入力映像がＳＢＳ映像であるか、または、２Ｄ映像であるかを判定しない、または、判定を保留することにより、誤検出を抑制できる。
【０１２５】
以上のように、実施の形態１に係る映像表示装置１０は、入力映像がＳＢＳ映像であるか、２Ｄ映像であるか、または、ＳＢＳ映像および２Ｄ映像のいずれか不明な映像であるかを判定する。これにより、入力映像が３次元映像を表示するための映像であるか否かを適切に判定することができる。そして、映像表示装置１０は、判定結果に基づいて、適切に入力映像を表示することができる。
【０１２６】
（実施の形態２）
実施の形態２に係る映像表示装置は、ＳＢＳ映像への適合度合いを示すカウンタ値を用いる。そして、映像表示装置は、入力映像がＳＢＳ映像である可能性が高い場合に、カウンタ値を増加させ、入力映像がＳＢＳ映像である可能性が低い場合に、カウンタ値を減少させる。そして、カウンタ値が閾値に到達した時、映像表示装置は、入力映像の表示を切り替える。
【０１２７】
図１３は、実施の形態２に係る映像表示装置の構成図である。図１３に示された映像表示装置１０は、実施の形態１と同様、入力映像を３次元映像または２次元映像として表示する。また、映像表示装置１０は、入力映像取得部１１、類似度算出部１２、第１判定部１３、カウンタ部１６、第２判定部１４および表示部１５を備える。入力映像取得部１１、類似度算出部１２、第１判定部１３および表示部１５は、実施の形態１と同様の構成要素である。
【０１２８】
カウンタ部１６は、ＳＢＳ映像への適合度合いを示すカウンタ値を更新する。カウンタ値は、カウンタ部１６の内部に保持されていてもよいし、別個の独立した記憶部（図示せず）に保持されていてもよい。
【０１２９】
例えば、入力映像がＳＢＳ映像であると第１判定部１３で判定された場合、カウンタ部１６はカウンタ値を増加させる。また、入力映像が２Ｄ映像であると第１判定部１３で判定された場合、カウンタ部１６はカウンタ値を減少させる。そして、入力映像が不明な映像であると第１判定部１３で判定された場合、カウンタ部１６は、カウンタ値を増減させる処理を実行せずに、カウンタ値を維持する。これにより、カウンタ値は、第１判定部１３で得られた複数の判定結果に基づく値に更新される。
【０１３０】
典型的には、カウンタ部１６は、カウンタ値を１ずつ増加させ、または、カウンタ値を１ずつ減少させるが、１よりも大きい値で増減させてもよい。
【０１３１】
第２判定部１４は、カウンタ値に基づいて、入力映像がＳＢＳ映像であるか、または、２Ｄ映像であるかを最終的に判定する。
【０１３２】
具体的には、第２判定部１４は、カウンタ値が、予め定められた第１カウンタ閾値（以下、ＳＢＳ閾値とも呼ぶ）以上である場合、入力映像がＳＢＳ映像であると判定する。また、第２判定部１４は、カウンタ値が、予め定められた第２カウンタ閾値（以下、２Ｄ閾値とも呼ぶ）以下である場合、入力映像が２Ｄ映像であると判定する。第２カウンタ閾値は、第１カウンタ閾値よりも小さい値である。
【０１３３】
そして、第２判定部１４は、カウンタ値が、第１カウンタ閾値よりも小さく、第２カウンタ閾値よりも大きい場合、第２判定部１４で判定された前回の判定結果と同じになるように、入力映像がＳＢＳ映像および２Ｄ映像のいずれであるかを判定する。
【０１３４】
なお、カウンタ値には、上限値と下限値とが設定されていてもよい。すなわち、入力映像がＳＢＳ映像であると第１判定部１３で判定された場合でも、カウンタ値が上限値と同じ値である場合、カウンタ部１６はカウンタ値を維持する。また、入力映像が２Ｄ映像であると第１判定部１３で判定された場合でも、カウンタ値が下限値と同じ値である場合、カウンタ部１６はカウンタ値を維持する。
【０１３５】
これにより、映像表示装置１０は、カウンタ値が過大または過小になることを抑制できる。したがって、映像表示装置１０は、ＳＢＳ映像と２Ｄ映像との切り替えを早期に検出できる。
【０１３６】
上限値は、第１カウンタ閾値と同じであってもよいし、第１カウンタ閾値よりも大きい値であってもよい。下限値は、第２カウンタ閾値と同じであってもよいし、第２カウンタ閾値よりも小さい値であってもよい。
【０１３７】
上限値と第１カウンタ閾値とが同じ値であって、下限値と第２カウンタ閾値とが同じ値である場合、カウンタ値が比較的小さな範囲に限定され、簡潔な構造で、判定処理が実現される。上限値が第１カウンタ閾値よりも大きい値であって、下限値が第２カウンタ閾値よりも小さい値である場合、表示を切り替えるタイミングがより柔軟に設定される。したがって、より適切な判定処理が実現される。
【０１３８】
実施の形態２では、上限値と第１カウンタ閾値とが同じ値であって、下限値と第２カウンタ閾値とが同じ値である場合が想定されている。上限値が第１カウンタ閾値よりも大きい値であって、下限値が第２カウンタ閾値よりも小さい値である場合については、実施の形態２の変形例として、後述する。
【０１３９】
図１４は、実施の形態２に係る判定結果の第１例を示す図である。図１４では、時刻ｔ５まで、ＳＢＳ映像が入力され、その後、２Ｄ映像が入力される場合の例が示されている。また、時刻ｔ１から時刻ｔ４までの間、強い光が左映像のみに映りこんでいる状態が想定されている。このような状態において、第１判定部１３および第２判定部１４は、以下のように、入力映像の特性を判定する。
【０１４０】
まず、時刻ｔ１まで、類似度は、第１閾値以上である。したがって、時刻ｔ１まで、第１判定部１３は、入力映像がＳＢＳ映像であると判定する。本来であれば、この場合、カウンタ部１６は、カウンタ値を増加させる。しかし、カウンタ値が第１カウンタ閾値である上限値に到達しているため、カウンタ部１６は、カウンタ値を増加させずに、維持する。また、カウンタ値が第１カウンタ閾値である上限値に到達しているため、第２判定部１４は、入力映像がＳＢＳ映像であると最終的に判定する。
【０１４１】
次に、時刻ｔ１から時刻ｔ２まで、類似度は、第１閾値未満であって、第２閾値よりも大きい。したがって、この間、第１判定部１３は、入力映像がＳＢＳ映像および２Ｄ映像のいずれか不明であると判定する。この場合、カウンタ部１６は、カウンタ値を更新せずに、維持する。また、カウンタ値が第１カウンタ閾値である上限値に到達しているため、第２判定部１４は、入力映像がＳＢＳ映像であると最終的に判定する。
【０１４２】
次に、時刻ｔ２から時刻ｔ３まで、類似度は、第２閾値以下である。したがって、この間、第１判定部１３は、入力映像が２Ｄ映像であると判定する。この場合、カウンタ部１６は、カウンタ値を減少させる。そして、カウンタ値は、第１カウンタ閾値である上限値よりも小さく、第２カウンタ閾値である下限値よりも大きい値になる。この場合、第２判定部１４は、第２判定部１４で判定された前回の判定結果と同じになるように、入力映像の特性を判定する。すなわち、第２判定部１４は、入力映像がＳＢＳ映像であると最終的に判定する。
【０１４３】
次に、時刻ｔ３から時刻ｔ４まで、類似度は、第１閾値未満であって、第２閾値よりも大きい。したがって、この間、第１判定部１３は、入力映像がＳＢＳ映像および２Ｄ映像のいずれか不明であると判定する。この場合、カウンタ部１６は、カウンタ値を更新せずに、維持する。
【０１４４】
そして、カウンタ値は、第１カウンタ閾値である上限値よりも小さく、第２カウンタ閾値である下限値よりも大きい値に維持される。この場合、第２判定部１４は、第２判定部１４で判定された前回の判定結果と同じになるように、入力映像の特性を判定する。すなわち、第２判定部１４は、入力映像がＳＢＳ映像であると最終的に判定する。
【０１４５】
次に、時刻ｔ４から時刻ｔ５まで、類似度は、第１閾値以上である。したがって、この間、第１判定部１３は、入力映像がＳＢＳ映像であると判定する。この場合、カウンタ部１６は、カウンタ値を上限値に到達するまで増加させる。
【０１４６】
カウンタ値が、第１カウンタ閾値である上限値よりも小さく、第２カウンタ閾値である下限値よりも大きい値である場合、第２判定部１４は、第２判定部１４で判定された前回の判定結果と同じになるように、入力映像の特性を判定する。すなわち、第２判定部１４は、入力映像がＳＢＳ映像であると最終的に判定する。また、カウンタ値が第１カウンタ閾値である上限値に到達した後も、第２判定部１４は、入力映像がＳＢＳ映像であると最終的に判定する。
【０１４７】
次に、時刻ｔ５から時刻ｔ６まで、類似度は、第１閾値未満であって、第２閾値よりも大きい。したがって、この間、第１判定部１３は、入力映像がＳＢＳ映像および２Ｄ映像のいずれか不明であると判定する。この場合、カウンタ部１６は、カウンタ値を更新せずに、維持する。また、カウンタ値が第１カウンタ閾値である上限値に到達しているため、第２判定部１４は、入力映像がＳＢＳ映像であると最終的に判定する。
【０１４８】
次に、時刻ｔ６の後、類似度は、第２閾値以下である。したがって、第１判定部１３は、入力映像が２Ｄ映像であると判定する。この場合、カウンタ部１６は、カウンタ値を下限値に到達するまで減少させる。
【０１４９】
カウンタ値が、第１カウンタ閾値である上限値よりも小さく、第２カウンタ閾値である下限値よりも大きい値である場合、第２判定部１４は、第２判定部１４で判定された前回の判定結果と同じになるように、入力映像の特性を判定する。すなわち、第２判定部１４は、入力映像がＳＢＳ映像であると最終的に判定する。
【０１５０】
また、カウンタ値が第２カウンタ閾値である下限値に到達した後、第２判定部１４は、入力映像が２Ｄ映像であると最終的に判定する。すなわち、カウンタ値が第２カウンタ閾値である下限値に到達した時、最終判定結果が切り替えられる。
【０１５１】
上述の判定処理により、時刻ｔ２から時刻ｔ３までのように、類似度が一時的に著しく低くなるような場合であっても、判定結果が維持される。したがって、左眼映像と右眼映像との間に、一時的に大きな差が発生した場合であっても、映像表示装置１０は、入力映像がＳＢＳ映像であるか否かを適切に判定することができる。また、入力映像がＳＢＳ映像および２Ｄ映像のいずれか不明な映像である場合、カウンタ値が維持される。これにより、誤検出が抑制される。
【０１５２】
なお、時刻ｔ５の後、カウンタ値が下限値に到達するまで、２Ｄ映像である入力映像が、ＳＢＳ映像と判定される。この時間は、上限値と下限値とを適切な値に設定することにより、調整可能である。
【０１５３】
図１５は、実施の形態２に係る判定結果の第２例を示す図である。図１５では、時刻ｔ６まで、２Ｄ映像が入力され、その後、ＳＢＳ映像が入力される場合の例が示されている。また、時刻ｔ１から時刻ｔ４までの間、２Ｄ映像の左映像と右映像とが偶然に類似している状態が想定されている。このような状態において、第１判定部１３および第２判定部１４は、以下のように、入力映像の特性を判定する。
【０１５４】
まず、時刻ｔ１まで、類似度は、第２閾値以下である。したがって、時刻ｔ１まで、第１判定部１３は、入力映像が２Ｄ映像であると判定する。本来であれば、この場合、カウンタ部１６は、カウンタ値を減少させる。しかし、カウンタ値が第２カウンタ閾値である下限値に到達しているため、カウンタ部１６は、カウンタ値を減少させずに、維持する。また、カウンタ値が第２カウンタ閾値である下限値に到達しているため、第２判定部１４は、入力映像が２Ｄ映像であると最終的に判定する。
【０１５５】
次に、時刻ｔ１から時刻ｔ２まで、類似度は、第１閾値未満であって、第２閾値よりも大きい。したがって、この間、第１判定部１３は、入力映像がＳＢＳ映像および２Ｄ映像のいずれか不明であると判定する。この場合、カウンタ部１６は、カウンタ値を更新せずに、維持する。また、カウンタ値が第２カウンタ閾値である下限値に到達しているため、第２判定部１４は、入力映像が２Ｄ映像であると最終的に判定する。
【０１５６】
次に、時刻ｔ２から時刻ｔ３まで、類似度は、第１閾値以上である。したがって、この間、第１判定部１３は、入力映像がＳＢＳ映像であると判定する。この場合、カウンタ部１６は、カウンタ値を増加させる。そして、カウンタ値は、第１カウンタ閾値である上限値よりも小さく、第２カウンタ閾値である下限値よりも大きい値になる。この場合、第２判定部１４は、第２判定部１４で判定された前回の判定結果と同じになるように、入力映像の特性を判定する。すなわち、第２判定部１４は、入力映像が２Ｄ映像であると最終的に判定する。
【０１５７】
次に、時刻ｔ３から時刻ｔ４まで、類似度は、第１閾値未満であって、第２閾値よりも大きい。したがって、この間、第１判定部１３は、入力映像がＳＢＳ映像および２Ｄ映像のいずれか不明であると判定する。この場合、カウンタ部１６は、カウンタ値を更新せずに、維持する。
【０１５８】
そして、カウンタ値は、第１カウンタ閾値である上限値よりも小さく、第２カウンタ閾値である下限値よりも大きい値に維持される。この場合、第２判定部１４は、第２判定部１４で判定された前回の判定結果と同じになるように、入力映像の特性を判定する。すなわち、第２判定部１４は、入力映像が２Ｄ映像であると最終的に判定する。
【０１５９】
次に、時刻ｔ４から時刻ｔ５まで、類似度は、第２閾値以下である。したがって、この間、第１判定部１３は、入力映像が２Ｄ映像であると判定する。この場合、カウンタ部１６は、カウンタ値を下限値に到達するまで減少させる。
【０１６０】
カウンタ値が、第１カウンタ閾値である上限値よりも小さく、第２カウンタ閾値である下限値よりも大きい値である場合、第２判定部１４は、第２判定部１４で判定された前回の判定結果と同じになるように、入力映像の特性を判定する。すなわち、第２判定部１４は、入力映像が２Ｄ映像であると最終的に判定する。また、カウンタ値が第２カウンタ閾値である下限値に到達した後も、第２判定部１４は、入力映像が２Ｄ映像であると最終的に判定する。
【０１６１】
次に、時刻ｔ５から時刻ｔ６まで、類似度は、第１閾値未満であって、第２閾値よりも大きい。したがって、この間、第１判定部１３は、入力映像がＳＢＳ映像および２Ｄ映像のいずれか不明であると判定する。この場合、カウンタ部１６は、カウンタ値を更新せずに、維持する。また、カウンタ値が第２カウンタ閾値である下限値に到達しているため、第２判定部１４は、入力映像が２Ｄ映像であると最終的に判定する。
【０１６２】
次に、時刻ｔ６の後、類似度は、第１閾値以上である。したがって、第１判定部１３は、入力映像がＳＢＳ映像であると判定する。この場合、カウンタ部１６は、カウンタ値を上限値に到達するまで増加させる。
【０１６３】
カウンタ値が、第１カウンタ閾値である上限値よりも小さく、第２カウンタ閾値である下限値よりも大きい値である場合、第２判定部１４は、第２判定部１４で判定された前回の判定結果と同じになるように、入力映像の特性を判定する。すなわち、第２判定部１４は、入力映像が２Ｄ映像であると最終的に判定する。
【０１６４】
また、カウンタ値が第１カウンタ閾値である上限値に到達した後、第２判定部１４は、入力映像がＳＢＳ映像であると最終的に判定する。すなわち、カウンタ値が第１カウンタ閾値である上限値に到達した時、最終判定結果が切り替えられる。
【０１６５】
上述の判定処理により、時刻ｔ２から時刻ｔ３までのように、類似度が一時的に著しく高くなるような場合であっても、判定結果が維持される。したがって、２Ｄ映像の左映像と右映像とが一時的に同じような映像になった場合であっても、映像表示装置１０は、入力映像がＳＢＳ映像であるか否かを適切に判定することができる。また、入力映像がＳＢＳ映像および２Ｄ映像のいずれか不明な映像である場合、カウンタ値が維持される。これにより、誤検出が抑制される。
【０１６６】
なお、時刻ｔ５の後、カウンタ値が上限値に到達するまで、ＳＢＳ映像である入力映像が、２Ｄ映像と判定される。この時間は、上限値と下限値とを適切な値に設定することにより、調整可能である。
【０１６７】
２Ｄ映像とＳＢＳ映像との切り替えが短期間に繰り返されることは、稀である。そのため、類似度に基づく判定結果の頻繁な変更は、ＳＢＳ映像と２Ｄ映像との切り替え以外の理由で発生したと想定される。したがって、映像表示装置１０は、カウンタを用いて、頻繁な切り替えを抑制する。また、入力映像がＳＢＳ映像および２Ｄ映像のいずれか不明な映像である場合、映像表示装置１０は、カウンタ値を維持する。これにより、映像表示装置１０は、より適切に入力映像の特性を判定する。
【０１６８】
図１６は、図１３に示された映像表示装置１０の処理を示すフローチャートである。図１３に示された映像表示装置１０は、図１６に示された処理を繰り返して実行することにより、入力映像の特性を判定し、表示を切り替える。
【０１６９】
まず、入力映像取得部１１は、入力映像を取得する（Ｓ３０１）。入力映像取得部１１は、放送を介して、入力映像を取得してもよいし、記録媒体を介して、入力映像を取得してもよい。次に、類似度算出部１２は、入力映像を左映像と右映像とに分割する。そして、類似度算出部１２は、左映像と右映像との類似度を算出する（Ｓ３０２）。
【０１７０】
次に、第１判定部１３は、類似度が第１閾値以上であるか否かを判定することにより、入力映像がＳＢＳ映像であるか否かを判定する（Ｓ３０３）。次に、類似度が第２閾値以下であるか否かを判定することにより、入力映像が２Ｄ映像であるか否かを判定する（Ｓ３０４）。ここまでの処理は、実施の形態１と同様である。
【０１７１】
カウンタ部１６は、類似度が第１閾値以上である場合（Ｓ３０３でＹｅｓ）、カウンタ値を増加させる（Ｓ３０５）。また、カウンタ部１６は、類似度が第２閾値以下である場合（Ｓ３０４でＹｅｓ）、カウンタ値を減少させる（Ｓ３０６）。
【０１７２】
また、カウンタ部１６は、類似度が第１閾値よりも小さく第２閾値よりも大きい場合（Ｓ３０４でＮｏ）、カウンタ値を更新せずに、維持する。
【０１７３】
次に、第２判定部１４は、カウンタ値が上限値である場合（Ｓ３０７でＹｅｓ）、入力映像がＳＢＳ映像であると判定する（Ｓ３１０）。また、第２判定部１４は、カウンタ値が下限値である場合（Ｓ３０８でＹｅｓ）、入力映像が２Ｄ映像であると判定する（Ｓ３１２）。
【０１７４】
また、第２判定部１４は、カウンタ値が上限値よりも小さく下限値よりも大きい場合（Ｓ３０８でＮｏ）、前回、第２判定部１４で入力映像がＳＢＳ映像と判定されていたか否かを判定する（Ｓ３０９）。
【０１７５】
そして、前回、第２判定部１４で入力映像がＳＢＳ映像と判定されていた場合（Ｓ３０９でＹｅｓ）、第２判定部１４は、入力映像がＳＢＳ映像であると判定する（Ｓ３１０）。一方、前回、第２判定部１４で入力映像がＳＢＳ映像と判定されていなかった場合（Ｓ３０９でＮｏ）、第２判定部１４は、入力映像が２Ｄ映像であると判定する（Ｓ３１２）。
【０１７６】
第２判定部１４で入力映像がＳＢＳ映像と判定された場合（Ｓ３１０）、表示部１５は入力映像を３次元映像として表示する（Ｓ３１１）。一方、第２判定部１４で入力映像が２Ｄ映像と判定された場合（Ｓ３１２）、表示部１５は入力映像を２次元映像として表示する（Ｓ３１３）。
【０１７７】
これにより、表示部１５は、入力映像に応じて、表示を切り替える。また、映像表示装置１０は、実質的に２段階の判定処理を行うことにより、より適切に、入力映像の特性を判定することができる。
【０１７８】
次に、実施の形態２の変形例について述べる。実施の形態２の変形例に係る映像表示装置は、実施の形態２に係る映像表示装置１０と同様の構成要素を備える。実施の形態２では、上限値が、第１カウンタ閾値（ＳＢＳ閾値）よりも大きい値であって、下限値が、第２カウンタ閾値（２Ｄ閾値）よりも小さい値である。また、表示部１５は、最終判定結果が変更された時に、入力映像を３次元映像として表示するか、または、入力映像を２次元映像として表示するかの選択を促すメッセージを表示することにより、入力映像の表示を切り替える。
【０１７９】
図１７は、実施の形態２の変形例に係る判定結果の例を示す図である。第１判定部１３による第１判定結果がＳＢＳ映像である場合、カウンタ部１６はカウンタ値に１を足す。第１判定結果が２Ｄ映像である場合、カウンタ部１６はカウンタ値から１を引く。第１判定結果が不明である場合、カウンタ部１６はカウンタ値を更新しない。これにより、カウンタ値が、増加、減少、または、維持される。
【０１８０】
カウンタ値がＳＢＳ閾値に到達した時、表示部１５は、３Ｄ表示に切り替えるか否かの選択を視聴者に促すメッセージを表示する。表示部１５は、視聴者の操作に従って、入力映像を３次元映像または２次元映像として表示する。すなわち、視聴者が３Ｄ表示への切り替えを選択した場合、表示部１５は、入力映像を３次元映像として表示する。視聴者が３Ｄ表示への切り替えを選択しなかった場合、表示部１５は、入力映像を２次元映像として表示する。
【０１８１】
また、カウンタ値が２Ｄ閾値に到達した時、表示部１５は、２Ｄ表示に切り替えるか否かの選択を視聴者に促すメッセージを表示する。表示部１５は、視聴者の操作に従って、入力映像を３次元映像または２次元映像として表示する。すなわち、視聴者が２Ｄ表示への切り替えを選択した場合、表示部１５は、入力映像を２次元映像として表示する。視聴者が２Ｄ表示への切り替えを選択しなかった場合、表示部１５は、入力映像を３次元映像として表示する。
【０１８２】
映像表示装置１０は、視聴者の操作を受け付けるための別個の独立した操作インタフェース部を備えていてもよい。
【０１８３】
また、図１７に示されているように、上限値は、ＳＢＳ閾値よりも大きい。そして、下限値は、２Ｄ閾値よりも小さい。上限値、下限値、ＳＢＳ閾値および２Ｄ閾値との組み合わせにより、柔軟に判定処理が調整される。
【０１８４】
図１８は、実施の形態２の変形例に係る映像表示装置１０の処理を示すフローチャートである。映像表示装置１０は、図１８に示された処理を繰り返して実行することにより、入力映像の特性を判定し、表示を切り替える。
【０１８５】
まず、第１判定部１３は、入力映像がＳＢＳ映像であるか、２Ｄ映像であるか、または、ＳＢＳ映像および２Ｄ映像のいずれか不明な映像であるかを判定する（Ｓ４０１）。典型的には、第１判定部１３は、類似度に基づいて、入力映像の特性を判定する。第１判定部１３は、入力映像に付与された信号から、入力映像がＳＢＳ映像であるか２Ｄ映像であるかを判定してもよい。また、第１判定部１３は、入力映像に含まれる複数の画素値に偏りがある場合、入力映像が不明であると判定してもよい。
【０１８６】
入力映像がＳＢＳ映像であると第１判定部１３で判定された場合、カウンタ部１６はカウンタ値を増加させる（Ｓ４０２）。そして、第２判定部１４は、カウンタ値がＳＢＳ閾値未満の値からＳＢＳ閾値以上の値へ変化したか否かを判定する（Ｓ４０３）。
【０１８７】
カウンタ値がＳＢＳ閾値未満の値からＳＢＳ閾値以上の値へ変化した場合（Ｓ４０３でＹｅｓ）、表示部１５は、３Ｄ表示に切り替えるか否かを選択するためのメッセージをＯＳＤ（Ｏｎ  Ｓｃｒｅｅｎ  Ｄｉｓｐｌａｙ）により表示する（Ｓ４０４）。表示部１５は、入力映像が２次元映像として表示されている場合にのみ、上記メッセージを表示することが好ましい。そして、視聴者が３Ｄ表示への切り替えを選択した場合、表示部１５は、入力映像を３次元映像として表示する。
【０１８８】
入力映像が２Ｄ映像であると第１判定部１３で判定された場合、カウンタ部１６はカウンタ値を減少させる（Ｓ４０５）。そして、第２判定部１４は、カウンタ値が２Ｄ閾値より大きい値から２Ｄ閾値以下の値へ変化したか否かを判定する（Ｓ４０６）。
【０１８９】
カウンタ値が２Ｄ閾値より大きい値から２Ｄ閾値以下の値へ変化した場合（Ｓ４０６でＹｅｓ）、表示部１５は、２Ｄ表示に切り替えるか否かを選択するためのメッセージをＯＳＤにより表示する（Ｓ４０７）。表示部１５は、入力映像が３次元映像として表示されている場合にのみ、上記メッセージを表示することが好ましい。そして、視聴者が２Ｄ表示への切り替えを選択した場合、表示部１５は、入力映像を３次元映像として表示する。
【０１９０】
入力映像が不明であると第１判定部１３で判定された場合、表示部１５は、メッセージを表示しない。また、カウンタ値がＳＢＳ閾値または２Ｄ閾値に到達しなかった場合（Ｓ４０３でＮｏ、または、Ｓ４０６でＮｏ）、表示部１５は、メッセージを表示しない。この場合、表示部１５は、入力映像を３次元映像または２次元映像として表示する状態を継続する。
【０１９１】
上述に示された処理によって、映像表示装置１０は、実質的に２段階の判定処理を行って、判定結果が変化したタイミングで、切り替えのメッセージを表示する。また、入力映像がＳＢＳ映像および２Ｄ映像のいずれか不明な映像である場合、現状の表示が維持される。これにより、誤検出が抑制される。
【０１９２】
以上のように、実施の形態２に係る映像表示装置１０は、入力映像がＳＢＳ映像であるか、２Ｄ映像であるか、または、ＳＢＳ映像および２Ｄ映像のいずれか不明な映像であるかを判定する。映像表示装置１０は、その結果に応じて、カウンタ値を増減させ、または、カウンタ値を維持する。そして、映像表示装置１０は、カウンタ値に応じて、最終的に、入力映像がＳＢＳ映像であるか、または、２Ｄ映像であるかを判定する。
【０１９３】
これにより、入力映像が３次元映像を表示するための映像であるか否かを適切に判定することができる。そして、映像表示装置１０は、判定結果に基づいて、適切に入力映像を表示することができる。
【０１９４】
（実施の形態３）
実施の形態３は、実施の形態１または実施の形態２で示された映像表示装置の利用形態を示す。実施の形態３に係る映像表示装置は、実施の形態１または実施の形態２に係る映像表示装置と同様の構成要素を備える。
【０１９５】
図１９は、実施の形態３に係る映像表示装置の外観図である。図１９に示された実施の形態３に係る映像表示装置３１は、テレビジョン受像機として実現される。映像表示装置３１は、放送を介して、入力映像を取得する。放送は、インターネット放送などであってもよい。映像表示装置３１は、放送を介して取得した入力映像がＳＢＳ映像であるか、または、２Ｄ映像であるかを判定する。
【０１９６】
そして、映像表示装置３１は、判定結果に基づいて、入力映像を３次元映像または２次元映像として表示する。映像表示装置３１は、判定結果が切り替わった時、入力映像を３次元映像として表示するか、または、入力映像を２次元映像として表示するかを選択するためのメッセージを表示してもよい。
【０１９７】
図２０は、図１９に示された映像表示装置３１の利用形態の例を示す図である。図２０の例では、視聴者３２が、映像表示装置３１によって表示されている映像を視聴している。ここでは、映像表示装置３１は、入力映像を３次元映像として表示しており、視聴者３２は、メガネ３３を介して、３次元映像として表示されている映像を視聴している。メガネ３３によって、左眼映像は、視聴者３２の左眼に提示され、右眼映像は、視聴者３２の右眼に提示される。これにより、視聴者３２は、映像を立体的に認識することができる。
【０１９８】
図２１は、実施の形態３に係る画面表示の例を示す図である。この例において、映像表示装置３１は、判定結果が２Ｄ映像からＳＢＳ映像へ切り替わった時に、３Ｄ表示に切り替えるか否かを選択するためのメッセージを表示している。視聴者３２は、リモコン（リモートコントローラ）３４を利用して、３Ｄ表示に切り替えるか否かを選択することができる。ここで、視聴者３２が３Ｄ表示に切り替えることを選択した場合、映像表示装置３１は、入力映像を３次元映像として表示するための映像処理を実行して、入力映像を３次元映像として表示する。
【０１９９】
以上のように、実施の形態３に係る映像表示装置３１は、テレビジョン受像機として実現される。そして、映像表示装置３１は、放送を介して得られる入力映像がＳＢＳ映像であるか、または、２Ｄ映像であるかを適切に判定し、入力映像の表示を切り替えることができる。
【０２００】
以上、本発明に係る映像表示装置について、複数の実施の形態に基づいて説明したが、本発明はそれらの実施の形態に限定されるものではない。それらの実施の形態に対して当業者が思いつく変形を施して得られる形態、および、それらの実施の形態における構成要素を任意に組み合わせて実現される別の形態も本発明に含まれる。
【０２０１】
例えば、特定の処理部が実行する処理を別の処理部が実行してもよい。また、処理を実行する順番が変更されてもよいし、複数の処理が並行して実行されてもよい。
【０２０２】
また、上述の複数の実施の形態において、入力映像がＳＢＳ映像であるか、または、２Ｄ映像であるかが判定されている。しかし、ＳＢＳ映像のみに限られず、入力映像が３次元映像として表示するための映像であるか、または、２次元映像として表示するための映像であるかが判定されてもよい。例えば、入力映像がＴＡＢ映像であるか否かが判定されてもよい。
【０２０３】
この場合、類似度算出部１２は、入力映像を上側と下側との２つの領域に分割し、２つの領域から得られる２つの映像の類似度を算出する。そして、第１判定部１３は、類似度算出部１２で算出された類似度が、第１閾値以上である場合、入力映像が、３次元映像を構成する２つの映像を含むＴＡＢ映像であると判定する。
【０２０４】
また、本発明は、映像表示装置として実現できるだけでなく、映像表示装置を構成する処理手段をステップとする方法として実現できる。例えば、それらのステップは、コンピュータによって実行される。そして、本発明は、それらの方法に含まれるステップを、コンピュータに実行させるためのプログラムとして実現できる。さらに、本発明は、そのプログラムを記録したＣＤ−ＲＯＭ等のコンピュータ読み取り可能な記録媒体として実現できる。
【０２０５】
また、映像表示装置に含まれる複数の構成要素は、集積回路であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩまたはウルトラＬＳＩと呼称されることもある。
【０２０６】
また、集積回路化の手法はＬＳＩに限るものではなく、専用回路または汎用プロセッサで実現してもよい。プログラムすることが可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定を再構成可能なリコンフィギュラブル・プロセッサを利用してもよい。
【０２０７】
さらには、半導体技術の進歩または派生する別技術によりＬＳＩに置き換わる集積回路化の技術が登場すれば、当然、その技術を用いて、映像表示装置に含まれる構成要素の集積回路化を行ってもよい。
【産業上の利用可能性】
【０２０８】
本発明に係る映像表示装置は、入力映像を３次元映像または２次元映像として表示する映像表示装置に適用可能であって、テレビジョン受像機、携帯電話、または、ゲーム機等の様々な映像表示装置に利用可能である。
【符号の説明】
【０２０９】
１０、３１  映像表示装置
１１  入力映像取得部
１２  類似度算出部
１３  第１判定部
１４  第２判定部
１５  表示部
１６  カウンタ部
２０  入力映像（入力画像）
２１、９５  左映像（左画像）
２２、９６  右映像（右画像）
２３  上映像（上画像）
２４  下映像（下画像）
３２  視聴者
３３  メガネ
３４  リモコン（リモートコントローラ）
９１  左カメラ
９２  右カメラ
９３  被写体
９４  光源
９７  ＳＢＳ映像
【図１】
2012156639.tif 000004
【図２】
2012156639.tif 000005
【図３】
2012156639.tif 000006
【図４】
2012156639.tif 000007
【図５】
2012156639.tif 000008
【図６】
2012156639.tif 000009
【図７】
2012156639.tif 000010
【図８】
2012156639.tif 000011
【図９】
2012156639.tif 000012
【図１０】
2012156639.tif 000013
【図１１】
2012156639.tif 000014
【図１２】
2012156639.tif 000015
【図１３】
2012156639.tif 000016
【図１４】
2012156639.tif 000017
【図１５】
2012156639.tif 000018
【図１６】
2012156639.tif 000019
【図１７】
2012156639.tif 000020
【図１８】
2012156639.tif 000021
【図１９】
2012156639.tif 000022
【図２０】
2012156639.tif 000023
【図２１】
2012156639.tif 000024
【図２２】
2012156639.tif 000025
【図２３】
2012156639.tif 000026
【図２４】
2012156639.tif 000027